(57)【特許請求の範囲】
【請求項１】
搬送物を載置搬送する搬送用無端ベルトを備えた上流側ベルトコンベヤと下流側ベルトコンベヤが、前記上流側ベルトコンベヤの終端部における載置搬送面を前記下流側ベルトコンベヤにおける載置搬送面よりも高くする状態で且つ前記上流側ベルトコンベヤの終端部からそれよりも搬送方向に放出される搬送物を前記下流側ベルトコンベヤの前記搬送用無端ベルトにて受け止め可能となる位置関係となる状態で設けられ、
前記下流側ベルトコンベヤは、前記上流側ベルトコンベヤの終端部からそれよりも搬送方向に放出されて落下する搬送物を前記搬送用無端ベルトにて受け止めて載置搬送するように構成されている物品搬送設備であって、
前記下流側ベルトコンベヤは、平面視において前記上流側ベルトコンベヤの搬送方向と直交する方向に搬送物を搬送するように設けられ、
前記上流側ベルトコンベヤは、前記下流側ベルトコンベヤの搬送方向に間隔を隔てて複数設けられ、
前記下流側ベルトコンベヤは、平面視において前記上流側ベルトコンベヤと重複しないように前記上流側ベルトコンベヤの終端部と水平方向に間隔を隔てて設けられ、
前記上流側ベルトコンベヤの終端部と前記下流側ベルトコンベヤとの間において、前記下流側ベルトコンベヤまで到達しない前記上流側ベルトコンベヤの終端部からの落下物を受け止め保持する受皿状の受け止め保持体が設けられ、
前記受け止め保持体が、前記下流側ベルトコンベヤに連なる底面部と前記下流側ベルトコンベヤに隣接する部分を開放自在とする側面部とを備えて構成されている物品搬送設備。
【請求項２】
前記受け止め保持体は、その底面部が前記下流側ベルトコンベヤに近い側ほど下位となる傾斜状に形成されている請求項１に記載の物品搬送設備。
【請求項３】
前記受け止め保持体は、受け止め保持している落下物の量を外部から視認可能とする窓部を備えて構成されている請求項１又は２に記載の物品搬送設備。
【請求項４】
前記上流側ベルトコンベヤ及び前記下流側ベルトコンベヤは、前記搬送物として、前記上流側ベルトコンベヤの終端部と前記下流側ベルトコンベヤとの間の間隔よりも小さい物体を含む廃棄用搬送物を搬送するように構成されている請求項１〜３のいずれか一項に記載の物品搬送設備。
【請求項５】
前記上流側ベルトコンベヤ及び前記下流側ベルトコンベヤは、コンベヤ本体の上面部に前記搬送用無端ベルトを搬送方向に沿って載置させる状態で備えるように構成され、
前記コンベヤ本体の上面部には、前記搬送方向に直交する方向において前記コンベヤ本体の両端部と前記搬送用無端ベルトとの間の隙間を埋める隙間埋め体が設けられている請求項１〜４のいずれか一項に記載の物品搬送設備。
【発明の詳細な説明】
【技術分野】
【０００１】
本発明は、搬送物を載置搬送する搬送用無端ベルトを備えた上流側ベルトコンベヤと下流側ベルトコンベヤが、前記上流側ベルトコンベヤの終端部における載置搬送面を前記下流側ベルトコンベヤにおける載置搬送面よりも高くする状態で且つ前記上流側ベルトコンベヤの終端部からそれよりも搬送方向に放出される搬送物を前記下流側ベルトコンベヤの前記搬送用無端ベルトにて受け止め可能となる位置関係となる状態で設けられ、前記下流側ベルトコンベヤは、前記上流側ベルトコンベヤの終端部からそれよりも搬送方向に放出されて落下する搬送物を前記搬送用無端ベルトにて受け止めて載置搬送するように構成されている物品搬送設備に関する。
【背景技術】
【０００２】
上記のような物品搬送設備は、例えば、ピッキング作業箇所やその他の作業箇所で発生する使用済みのダンボールやゴミなどの廃棄用搬送物を搬送物として廃棄処理場に搬送するものである。
このような物品搬送設備では、ベルトコンベヤにて搬送物を載置搬送するのであるが、そのベルトコンベヤを上流側ベルトコンベヤと下流側ベルトコンベヤとに区切り、上流側ベルトコンベヤから下流側ベルトコンベヤに搬送物を受け渡して搬送するようにしている。
そして、上流側ベルトコンベヤと下流側ベルトコンベヤとに区切ることによって、上流側ベルトコンベヤと下流側ベルトコンベヤとの間に防火シャッターなどの扉を開閉するためのスペースを設けたり、上流側ベルトコンベヤと下流側ベルトコンベヤとの間で搬送物の搬送方向を変更するようにしている。
【０００３】
従来の物品搬送設備では、上流側ベルトコンベヤと下流側ベルトコンベヤとが、上流側ベルトコンベヤよりも下流側ベルトコンベヤの方が下位で且つ上流側ベルトコンベヤの終端部からそれよりも搬送方向に放出される搬送物を下流側ベルトコンベヤにて受け止め可能となる位置関係で設けられ、下流側ベルトコンベヤが、上流側ベルトコンベヤの終端部からそれよりも搬送方向に放出されて落下する搬送物を搬送用無端ベルトにて受け止めて載置搬送するようにしている（例えば、特許文献１参照。）。
そして、この従来の物品搬送設備では、上流側ベルトコンベヤの終端部と下流側ベルトコンベヤとの間において下方側が開放されている。
【０００４】
【特許文献１】特開２００３−５４５１７号公報
【発明の開示】
【発明が解決しようとする課題】
【０００５】
上記従来の物品搬送設備では、上流側ベルトコンベヤの終端部と下流側ベルトコンベヤとの間において下方側が開放されているので、上流側ベルトコンベヤの終端部と下流側ベルトコンベヤとの間に落下する落下物がそのまま落下してしまう虞がある。
例えば、搬送物は、上流側ベルトコンベヤの終端部からそれよりも搬送方向に放出されるのであるが、下流側コンベヤまで到達しない搬送物もあり、この搬送物が上流側ベルトコンベヤの終端部と下流側ベルトコンベヤとの間に落下することになる。したがって、この落下物が開放された下方側にそのまま落下することになる。また、上流側ベルトコンベヤの終端部からそれよりも搬送方向に搬送物が放出されるときに、ゴミなどの異物も放出されることがあり、この異物が上流側ベルトコンベヤの終端部と下流側ベルトコンベヤとの間に落下することになる。したがって、この落下物が開放された下方側にそのまま落下することになる。
【０００６】
上流側ベルトコンベヤの終端部と下流側ベルトコンベヤとの間に落下する落下物がそのまま床面に落下すると、床面に散らばった落下物を集めて除去する作業を行わなければならず、煩わしい作業が必要となる。また、上流側ベルトコンベヤや下流側ベルトコンベヤの下方側に他の装置を配置させる設備では、上流側ベルトコンベヤの終端部と下流側ベルトコンベヤとの間に落下する落下物を落下させることができないことから、このような設備に適応することができないことになる。
【０００７】
そこで、上流側ベルトコンベヤの終端部と下流側ベルトコンベヤとの間に、下流側コンベヤまで到達しない上流側ベルトコンベヤの終端部からの落下物を受け止める受け止め体を設けることが考えられる。この場合には、受け止め体にて受け止めている落下物の量が多くなると、その落下物を清掃する清掃作業を行うことになる。そして、この清掃作業は、受け止めている落下物が受け止め体から落下しないようにしながらその落下物を回収するように行わなければならず、清掃作業が煩わしいものとなる。また、上流側ベルトコンベヤ及び下流側ベルトコンベヤが高所に設置されているものでは、清掃作業を高所にて行うことになり、清掃作業を行い難いものとなる。
【０００８】
本発明は、かかる点に着目してなされたものであり、その目的は、上流側ベルトコンベヤの終端部と下流側ベルトコンベヤとの間に落下する落下物がそのまま落下するのを防止しながら、その落下物の清掃作業の簡素化を図ることができる物品搬送装置を提供する点にある。
【課題を解決するための手段】
【０００９】
この目的を達成するために、本発明にかかる物品搬送設備の第１特徴構成は、搬送物を載置搬送する搬送用無端ベルトを備えた上流側ベルトコンベヤと下流側ベルトコンベヤが、前記上流側ベルトコンベヤの終端部における載置搬送面を前記下流側ベルトコンベヤにおける載置搬送面よりも高くする状態で且つ前記上流側ベルトコンベヤの終端部からそれよりも搬送方向に放出される搬送物を前記下流側ベルトコンベヤの前記搬送用無端ベルトにて受け止め可能となる位置関係となる状態で設けられ、前記下流側ベルトコンベヤは、前記上流側ベルトコンベヤの終端部からそれよりも搬送方向に放出されて落下する搬送物を前記搬送用無端ベルトにて受け止めて載置搬送するように構成されている物品搬送設備において、
前記下流側ベルトコンベヤは、平面視において前記上流側ベルトコンベヤの搬送方向と直交する方向に搬送物を搬送するように設けられ、前記上流側ベルトコンベヤは、前記下流側ベルトコンベヤの搬送方向に間隔を隔てて複数設けられ、前記下流側ベルトコンベヤは、平面視において前記上流側ベルトコンベヤと重複しないように前記上流側ベルトコンベヤの終端部と水平方向に間隔を隔てて設けられ、
前記上流側ベルトコンベヤの終端部と前記下流側ベルトコンベヤとの間において、前記下流側ベルトコンベヤまで到達しない前記上流側ベルトコンベヤの終端部からの落下物を受け止め保持する受皿状の受け止め保持体が設けられ、前記受け止め保持体が、前記下流側ベルトコンベヤに連なる底面部と前記下流側ベルトコンベヤに隣接する部分を開放自在とする側面部とを備えて構成されている点にある。
【００１０】
前記上流側ベルトコンベヤの終端部と下流側ベルトコンベヤとの間には、受皿状の受け止め保持体が設けられているので、下流側ベルトコンベヤまで到達しない上流側ベルトコンベヤの終端部からの落下物を受け止め保持体が受け止め保持することができる。したがって、上流側ベルトコンベヤの終端部と下流側ベルトコンベヤとの間に落下する落下物がそのまま落下するのを防止できることになる。
そして、受け止め保持体は、下流側ベルトコンベヤに連なる底面部と下流側ベルトコンベヤに隣接する部分を開放自在とする側面部とを備えているので、下流側ベルトコンベヤに隣接する部分を開放することにより底面部上を移動させる状態で受け止め保持している落下物を下流側ベルトコンベヤに移動させることができることになる。したがって、受け止め保持体から下流側ベルトコンベヤに落下物を掻き出す作業を行うだけで、受け止め保持体が受け止めている落下物を清掃する清掃作業を行うことができることになる。そして、受け止め保持体から下流側ベルトコンベヤに移動された落下物は、下流側ベルトコンベヤにて載置搬送できることになる。
【００１１】
このようにして、上流側ベルトコンベヤの終端部と下流側ベルトコンベヤとの間に落下する落下物がそのまま落下するのを防止しながら、その落下物の清掃作業の簡素化を図ることができる物品搬送設備を提供できるに至った。
また、第１特徴構成によれば、前記上流側ベルトコンベヤを下流側ベルトコンベヤの搬送方向に間隔を隔てて複数設けることにより、複数の上流側ベルトコンベヤの夫々から下流側ベルトコンベヤに搬送物を受け渡すことができることになる。そして、下流側ベルトコンベヤは、平面視において上流側ベルトコンベヤの搬送方向と直交する方向に搬送方向を変更して搬送物を搬送することになる。
このように、複数の上流側ベルトコンベヤにて搬送する搬送物を下流側ベルトコンベヤに集めて搬送方向を変更しながら搬送できることとなって、複数の箇所から搬送物を効率よく搬送できることになる。
【００１２】
本発明にかかる物品搬送設備の第２特徴構成は、前記受け止め保持体は、その底面部が前記下流側ベルトコンベヤに近い側ほど下位となる傾斜状に形成されている点にある。
【００１３】
前記下流側ベルトコンベヤに近い側ほど下位となる傾斜状の底面部が、受け止め保持体にて受け止め保持した落下物を下流側ベルトコンベヤに案内移動することになる。したがって、受け止め保持体から下流側ベルトコンベヤに移動させる作業の簡素化を図ることができることになる。
【００１４】
本発明にかかる物品搬送設備の第３特徴構成は、前記受け止め保持体は、受け止め保持している落下物の量を外部から視認可能とする窓部を備えて構成されている点にある。
【００１５】
作業者は、窓部を覗くことによって、受け止め保持体の外部から受け止め保持体が受け止め保持している落下物の量を視認することができることになる。したがって、その視認を行うだけで受け止め保持体にて受け止めている落下物を清掃する清掃作業を行うか否かの判別を簡易に行うことができることになる。
【００１８】
本発明にかかる物品搬送設備の第４特徴構成は、前記上流側ベルトコンベヤ及び前記下流側ベルトコンベヤは、前記搬送物として、前記上流側ベルトコンベヤの終端部と前記下流側ベルトコンベヤとの間の間隔よりも小さい物体を含む廃棄用搬送物を搬送するように構成されている点にある。
【００１９】
前記上流側ベルトコンベヤ及び下流側ベルトコンベヤが、上流側ベルトコンベヤの終端部と下流側ベルトコンベヤとの間の間隔よりも小さい物体を含む廃棄用搬送物を搬送するので、この廃棄用搬送物が上流側ベルトコンベヤの終端部と下流側ベルトコンベヤとの間に落下することがある。
したがって、受け止め保持体が上流側ベルトコンベヤの終端部と下流側ベルトコンベヤとの間に落下する落下物となる廃棄用搬送物を受け止め保持できることになり、その廃棄用搬送物の落下を的確に防止できることになる。
【００２０】
本発明にかかる物品搬送設備の第５特徴構成は、前記上流側ベルトコンベヤ及び前記下
流側ベルトコンベヤは、コンベヤ本体の上面部に前記搬送用無端ベルトを搬送方向に沿って載置させる状態で備えるように構成され、前記コンベヤ本体の上面部には、前記搬送方向に直交する方向において前記コンベヤ本体の両端部と前記搬送用無端ベルトとの間の隙間を埋める隙間埋め体が設けられている点にある。
【００２１】
前記上流側ベルトコンベヤ及び下流側ベルトコンベヤは、搬送用無端ベルトにて搬送物を載置搬送するので、搬送方向に直交する方向において、コンベヤ本体の両端部と搬送用無端ベルトとの間に隙間があると、その隙間に搬送物が入り込む虞がある。そして、その隙間に搬送物が入り込むと、その搬送物によって搬送用無端ベルトが蛇行したり、搬送用無端ベルトを作動させるときにその搬送物が負荷となるなどの不都合を生じることになる。
そこで、搬送方向に直交する方向において、コンベヤ本体の上面部にコンベヤ本体の両端部と搬送用無端ベルトとの間の隙間を埋める隙間埋め体を設けることにより、その隙間に搬送物が入り込むのを防止できることとなって、上述の不都合の発生を防止できることになる。
【発明を実施するための最良の形態】
【００２２】
本発明にかかる物品搬送設備の実施形態を図面に基づいて説明する。
この物品搬送設備は、図１〜図３に示すように、搬送物Ｂを載置搬送する搬送用無端ベルトとしてのサブ搬送ベルト１を備えた上流側ベルトコンベヤとしての複数のサブベルトコンベヤ２、及び、それら複数のサブベルトコンベヤ２にて載置搬送する搬送物Ｂを受け取りその受け取った搬送物Ｂを載置搬送する搬送用無端ベルトとしてのメイン搬送ベルト３を備えた下流側ベルトコンベヤとしてのメインベルトコンベヤ４を備えて構成されている。
【００２３】
前記メインベルトコンベヤ４は、平面視においてサブベルトコンベヤ２の搬送方向と直交する方向に搬送物を搬送するように設けられている。そして、複数のサブベルトコンベヤ２は、メインベルトコンベヤ４の搬送方向に間隔を隔てて設けられている。
前記サブベルトコンベヤ２及びメインベルトコンベヤ４は、搬送物として、サブベルトコンベヤ２の終端部Ｓとメインベルトコンベヤ４との間の間隔よりも小さい物体を含む廃棄用搬送物を搬送するように構成されている。ちなみに、廃棄用搬送物としては、例えば、ピッキング作業箇所やその他の作業箇所にて発生する使用済みのダンボールやそのダンボールの切れ端、及び、その他のゴミなどである。
【００２４】
前記サブベルトコンベヤ２は、サブ用吊り下げ具５により天井に吊り下げ支持されたコンベヤ本体としてのサブコンベヤ本体６、及び、そのサブコンベヤ本体６に回転自在に支持されたサブ搬送ベルト１を備えて構成されている。そして、サブベルトコンベヤ２は、図外の駆動装置によりサブ搬送ベルト１を回転駆動させて搬送物Ｂを載置搬送するように構成されている。
前記サブベルトコンベヤ２は、図１及び図３に示すように、サブコンベヤ本体６の上面部にサブ搬送ベルト１を横幅方向の中央部において搬送方向に沿って載置させる状態で備えるように構成されている。そして、サブコンベヤ本体６の上面部には、搬送方向に直交する方向においてサブコンベヤ本体６の両端部とサブ搬送ベルト１との間の隙間を埋める隙間埋め体としてのサブ用フラットバー７が設けられている。また、サブコンベヤ本体６には、搬送物Ｂが外方側へ落下するのを防止しながら搬送方向に案内するためのサブ用案内体８が設けられている。
【００２５】
前記メインベルトコンベヤ４は、サブコンベヤ２と同様に、メイン用吊り下げ具９により天井に吊り下げ支持されたコンベヤ本体としてのメインコンベヤ本体１０、及び、そのメインコンベヤ本体１０に回転自在に支持されたメイン搬送ベルト３を備えて構成されている。そして、メインベルトコンベヤ４は、図外の駆動装置によりメイン搬送ベルト３を回転駆動させて搬送物Ｂを載置搬送するように構成されている。ちなみに、メインベルトコンベヤ４は、載置搬送面が搬送方向下流側ほど下位となるように傾斜されている。
前記メインコンベヤ４は、図１及び図２に示すように、メインコンベヤ本体１０の上面部にメイン搬送ベルト３を横幅方向の中央部において搬送方向に沿って載置させる状態で備えるように構成されている。そして、メインコンベヤ本体１０の上面部には、搬送方向に直交する方向においてメインコンベヤ本体１０の両端部とメイン搬送ベルト３との間の隙間を埋める隙間埋め体としてのメイン用フラットバー１１が設けられている。また、メインコンベヤ本体１０には、図１ではその一部を省略しているが、搬送物Ｂが外方側へ落下するのを防止しながら搬送方向に案内するためのメイン用案内体１２が設けられている。
【００２６】
前記複数のサブベルトコンベヤ２の夫々とメインベルトコンベヤ４は、サブベルトコンベヤ２の終端部における載置搬送面Ｐ１をメインベルトコンベヤ４における載置搬送面Ｐ２よりも高くする状態で且つサブベルトコンベヤ２の終端部Ｓからそれよりも搬送方向に放出される搬送物Ｂをメインベルトコンベヤ４のメイン搬送ベルト３にて受け止め可能とする位置関係となる状態で設けられている。
そして、メインベルトコンベヤ４は、サブベルトコンベヤ２の終端部Ｓからそれよりも搬送方向に放出されて落下する搬送物Ｂをメイン搬送ベルト３にて受け止めて載置搬送するように構成されている。
【００２７】
説明を加えると、複数のサブベルトコンベヤ２の夫々は、その終端部Ｓにおいて、慣性力により搬送物Ｂを終端部Ｓからそれよりも搬送方向に放出する状態で搬送物Ｂを搬送するように構成されている。
前記メインベルトコンベヤ４は、平面視においてサブベルトコンベヤ２と重複しないようにサブベルトコンベヤ２の終端部Ｓと水平方向に間隔を隔て、且つ、サブベルトコンベヤ２の終端部Ｓからそれよりも搬送方向に放出される搬送物Ｂをメイン搬送ベルト３にて受け止め可能となる位置に配設されている。したがって、メインベルトコンベヤ４にて載置搬送する搬送物Ｂがサブベルトコンベヤ２と当接するのを防止して、メインベルトコンベヤ４が搬送物Ｂを適正に搬送することができようにしている。
そして、サブベルトコンベヤ２の終端部Ｓからそれよりも搬送方向に放出される搬送物Ｂは、メインベルトコンベヤ４まで到達して、メインベルトコンベヤ４のメイン搬送ベルト３にて受け止められて載置搬送されることになる。
また、サブベルトコンベヤ２の終端部における載置搬送面Ｐ１とメインベルトコンベヤ４における載置搬送面Ｐ２との高低差については、例えば、搬送物Ｂの長さよりも大きな高低差を付けることにより、メインベルトコンベヤ４がサブベルトコンベヤ２の終端部Ｓからそれよりも搬送方向に放出されて落下する搬送物Ｂをメイン搬送ベルト３にて受け止めて適正に載置搬送できるようにしている。
【００２８】
前記サブベルトコンベヤ２の終端部Ｓとメインベルトコンベヤ４との間において、メインベルトコンベヤ４まで到達しないサブベルトコンベヤ２の終端部Ｓからの落下物Ｋを受け止め保持する受皿状の受け止め保持体１３が設けられている。
前記受け止め保持体１３は、メインベルトコンベヤ４に連なる底面部１４とメインベルトコンベヤ４に隣接する部分を開放自在とする側面部１５とを備えて構成されている。
そして、受け止め保持体１３は、その底面部１４がメインベルトコンベヤ４に近い側ほど下位となる傾斜状に形成され、受け止め保持している落下物Ｋの量を外部から視認可能とする窓部１８を備えて構成されている。
【００２９】
前記受け止め保持体１３について説明を加える。
前記受け止め保持体１３は、平面視で矩形状の底面部１４の端部から上方側に延びる側面部１５を備え且つ上方側を開放した受皿状に形成されている。受け止め保持体１３の側面部１５は、サブコンベヤ２側に位置する後面部１５ａ、左右一対の横側面部１５ｂ、及び、メインベルトコンベヤ４に隣接する前面部１５ｃから形成されている。そして、受け止め保持体１３は、サブベルトコンベヤ２の横幅よりも大きくなるように、左右一対の横側面部１５ｂをサブベルトコンベヤ２の横幅よりも大きな間隔を隔てた状態で設けている。
【００３０】
また、受け止め保持体１３の底面部１４に窓部１８が形成されており、図２に示すように、作業者が下方側から窓部１８を覗くことにより、受け止め保持体１３にて受け止め保持している落下物Ｋの量を視認できるように構成されている。そして、作業者が、受け止め保持している落下物Ｋの量を視認すると、受け止め保持体１３が受け止め保持している落下物Ｋを清掃する清掃作業を行うタイミングか否かを判別することができる。
【００３１】
前記受け止め保持体１３は、底面部１４、後面部１５ａ、横側面部１５ｂ、及び、前面部１５ｃの横幅方向の両端部を一体的に形成する第１形成体１６と、前面部１５ｃの横幅方向の中央部を形成する第２形成体１７とから形成されている。
前記第１形成体１６は、ブラケット１９によりメインベルトコンベヤ４に支持され、且つ、紐状の連結体２０によりサブベルトコンベヤ２に連結されている。前記第２形成体１７は、図１、図２及び図４に示すように、ボルトナットなどの締結具Ｔにより締結することにより第１形成体１６に取り付け自在で、且つ、締結具Ｔを取り外すことにより第１形成体１６から取り外し自在に設けられている。
【００３２】
そして、図２に示すように、第１形成体１６に第２形成体１７を取り付けることにより、前面部１５ｃにおけるメインベルトコンベヤ４に隣接する部分を閉塞して、サブベルトコンベヤ２の終端部Ｓからの落下物Ｋを受け止め保持することができる。
また、図４に示すように、第１形成体１６から第２形成体１７を取り外すことにより、前面部１５ｃにおけるメインベルトコンベヤ４に隣接する部分を開放して、受け止め保持体１３からメインベルトコンベヤ４に落下物Ｋを掻き出す作業を行うことにより、受け止め保持体１３の底面部１４にて案内する状態で落下物Ｋをメインベルトコンベヤ４に移動させることができる。したがって、受け止め保持体１３からメインベルトコンベヤ４に落下物Ｋを掻き出す作業を行うだけで、受け止め保持体１３にて受け止めている落下物Ｋを清掃する清掃作業を行うことができることになる。
【００３３】
〔別実施形態〕
（１）上記実施形態では、締結具Ｔを取り外すことにより受け止め保持体１３の前面部１５ｃにおけるメインベルトコンベヤ４に隣接する部分を開放するようにしているが、どのようにして受け止め保持体１３のメインベルトコンベヤ４に隣接する部分を開放するかは適宜変更が可能である。
例えば、受け止め保持体１３のメインベルトコンベヤ４に隣接する前面部を水平軸心周りで揺動自在に設け、前面部にてメインベルトコンベヤ４に隣接する部分を閉塞した状態から、その前面部を水平軸心周りで揺動させることによりメインベルトコンベヤ４に隣接する部分を開放することができる。
また、受け止め保持体１３のメインベルトコンベヤ４に隣接する前面部を水平方向にスライド移動自在に設け、前面部にてメインベルトコンベヤ４に隣接する部分を閉塞した状態から、その前面部を水平方向にスライド移動させることによりメインベルトコンベヤ４に隣接する部分を開放することができる。
【００３４】
（２）上記実施形態では、受け止め保持体３の底面部１４をメインベルトコンベヤ４に近い側ほど下位となる傾斜状に形成しているが、受け止め保持体３の底面部１４をどのような形状とするかは適宜変更が可能である。
【００３５】
（３）上記実施形態では、窓部１８を受け止め保持体３の底面部１４に備えているが、受け止め保持体３のどの部分に窓部を備えるかは適宜変更が可能である。また、窓部を備えずに実施することも可能である。
【００３７】
（４）上記実施形態では、サブベルトコンベヤ２及びメインベルトコンベヤ４が、廃棄用搬送物を搬送するようにしているが、どのような搬送物を搬送するかは適宜変更が可能である。
【００３８】
（５）上記実施形態では、サブベルトコンベヤ２及びメインベルトコンベヤ４を天井に吊り下げ支持しているが、例えば、サブベルトコンベヤ２及びメインベルトコンベヤ４を床面に載置支持することもでき、サブベルトコンベヤ２及びメインベルトコンベヤ４をどのように設置するかは適宜変更が可能である
【図面の簡単な説明】
【００３９】
【図１】物品搬送設備の斜視図
【図２】メインベルトコンベヤの搬送方向視での物品搬送設備の拡大図
【図３】サブベルトコンベヤの搬送方向視での物品搬送設備の拡大図
【図４】メインベルトコンベヤの搬送方向視での物品搬送設備の拡大図
【符号の説明】
【００４０】
１，３      搬送用無端ベルト
２          上流側ベルトコンベヤ
４          下流側ベルトコンベヤ
６，１０    コンベヤ本体
７，１１    隙間埋め体
１３        受け止め保持体
１４        受け止め保持体の底面部
１５        受け止め保持体の側面部
１８        窓部
【図１】
0004756352.tif 000002
【図２】
0004756352.tif 000003
【図３】
0004756352.tif 000004
【図４】
0004756352.tif 000005